(57)【要約】【課題】運転者の状態に応じて対象物の目視確認を促すために警告をより適切に実施できる運転支援システムを提供する。【解決手段】車両に搭載される運転支援システムは、運転者の脳波を取得する脳波取得装置６１と、脳波取得装置６１で取得した脳波から運転者の運転に対する注意量を算出する脳波算出ＥＣＵ６０と、車両の位置が運転者に対する警告の実施判定を行う交差点エリアの際に、当該交差点エリアＳに接触回避のための対象物が存在しているかを判定し、交差点エリアＳに対象物が存在している場合に、注意量に基づいて、運転者が対象物を目視確認することを促すための警告を実施する運転支援ＥＣＵ１０と、を備える。【選択図】      図１
2015095111.tif 000002
【特許請求の範囲】
【請求項１】
車両（７０）に搭載される運転支援システムであって、
運転者の脳波を取得する脳波取得手段（６１）と、
前記脳波取得手段により取得した脳波から前記運転者の運転に対する注意量を算出する注意量算出手段（６０）と、
前記車両の位置が前記運転者に対する警告の実施判定を行う判定エリアの際に、当該判定エリアに接触回避のための対象物が存在しているかを判定する対象物判定手段と、
前記判定エリア内に前記対象物が存在している場合に、前記注意量に基づいて、運転者が前記対象物を目視確認することを促すための警告を実施する警告実施手段（１０）と、
を備えることを特徴とする運転支援システム。
【請求項２】
前記警告実施手段は、前記注意量に基づいて前記警告を実施する度合いを定める請求項１に記載の運転支援システム。
【請求項３】
前記警告実施手段は、前記注意量が所定以上の場合には、車速が第１閾値以下になっていれば、所定の低速状態であると判定し、前記注意量が所定未満の場合には前記車速が前記第１閾値よりも速い第２閾値以下になっていれば、前記所定の低速状態であると判定する請求項１または２に記載の運転支援システム。
【請求項４】
前記脳波は、運転者が集中している際に出力される第１波形と、運転者の集中力が低下した状態で出力される第２波形とを含んでおり、
前記注意量算出手段は、前記第１波形および前記第２波形に基づいて、前記注意量を判定する請求項１〜３のいずれか１項に記載の運転支援システム。
【請求項５】
前記第１波形はアルファ波であり、前記第２波形はベータ波、ガンマ波およびシータ波のいずれか１つを含む請求項４に記載の運転支援システム。
【請求項６】
前記注意量算出手段は、前記脳波に含まれる各波形の周波数スペクトルから運転者の注意量を算出する請求項４または５に記載の運転支援システム。
【発明の詳細な説明】
【技術分野】
【０００１】
本発明は、運転者による車両の運転を支援する運転支援システムに関する。
【背景技術】
【０００２】
運転者の安全運転のための情報を呈示して運転者の運転支援を行うものが知られている。例えば、車両の進行方向に自転車や歩行者等の接触回避の対象となる対象物が存在する場合、運転者に対して事前に対象物の目視確認を促す警告を出力する技術が知られている。例えば、車両が右左折をする際に、車内カメラから検出される運転者の視線方向が、少なくとも予想進路上を含む確認エリアに向けられたか否かを判定して、運転者が予想進路上を目視しなかったと判定した場合に、対象物の目視確認を促す警告を出力するものが知られている（特許文献１参照）。
【先行技術文献】
【特許文献】
【０００３】
【特許文献１】特開２００８−９７２７８号公報
【発明の概要】
【発明が解決しようとする課題】
【０００４】
ところで、緊張や疲労、眠気等のために運転に対する注意力が低下している場合には、運転者が対象物を見落とす可能性が高くなる傾向がある。一方、運転者が運転に集中している場合には、対象物を見落とす可能性が低くなる傾向にある。
【０００５】
従来技術では運転者の注意力については考慮されておらず、対象物の目視確認を促すための警告の実施判定が一様に行われている。この場合、運転者の注意力が低下しており、運転者が対象物に気が付いていない場合に、警告が実施されないことによって、運転者が対象物を見落とすおそれがある。また、運転者が運転に集中している場合には、不要な警告が実施されることで、運転者の運転に対する集中力を低下させたり、運転者の警告に対する意識を低下させたりするおそれがある。以上から、運転者の状態に応じてより適切に運転支援としての警告を実施するためには検討の余地があると言える。
【０００６】
本発明は、運転者の状態に応じて対象物の目視確認を促すために警告をより適切に実施できる運転支援システムを提供することを主たる目的とするものである。
【課題を解決するための手段】
【０００７】
本発明では、車両に搭載される運転支援システムであって、運転者の脳波を取得する脳波取得手段と、脳波取得手段により取得した脳波から運転者の運転に対する注意量を算出する注意量算出手段と、車両の位置が運転者に対する警告の実施判定を行う判定エリアの際に、判定エリアに接触回避のための対象物が存在しているかを判定する対象物判定手段と、判定エリア内に対象物が存在している場合に、注意量に基づいて、運転者が前記対象物を目視確認することを促すための警告を実施する警告実施手段と、を備えることを特徴とする。
【０００８】
上記発明において、運転者の脳波の検出結果から運転者の注意量を求め、注意量に基づき運転者に対して目視確認を促すための警告を実施する。これにより、運転者の集中力が不足している場合にはより積極的に警告が実施されることで、対象物の見落としを回避させることができる。運転者が運転に集中している場合には、不要な警告の出力を抑えることができ、警告に対する運転者の意識を高めておくことができる。
【図面の簡単な説明】
【０００９】
【図１】運転支援システムの概略構成を示すブロック図。
【図２】脳波信号取得装置の概略構成図。
【図３】脳波の例を示す図。
【図４】注意量判定のフローチャート。
【図５】運転支援処理判定のフローチャート。
【図６】運転支援処理の実行例の説明図。
【発明を実施するための形態】
【００１０】
以下、本実施形態に係る運転支援システムを図面に基づいて説明する。本実施形態の運転支援システムは、運転者の脳波から、運転者の運転に対する注意力の大小である注意量を算出し、その注意量に基づいて対象物の目視確認を促すための警告を実施するものである。
【００１１】
図１は運転支援システムの概略構成を示すブロック図である。運転支援システムは、運転支援ＥＣＵ１０と、エンジンＥＣＵ２０と、ナビゲーションＥＣＵ３０と、画像取得ＥＣＵ４０と、視線検出ＥＣＵ５０と、脳波取得ＥＣＵ６０とを備えている。各ＥＣＵ１０〜６０は、ＣＰＵ、ＲＯＭ、ＲＡＭ等を備えた周知のマイクロコンピュータとして構成されており、通信線を介してＣＡＮ等の所定の通信プロトコルで各ＥＣＵ１０〜６０で相互に通信可能に構成されている。
【００１２】
エンジンＥＣＵ２０には、車速センサ２１が接続されている。エンジンＥＣＵ２０は、車速センサ２１による車速の検出結果に基づいて、図示を略すエンジンを制御するとともに、車速センサ２１の検出結果（車速情報）を運転支援ＥＣＵ１０やナビゲーションＥＣＵ３０に送信する。
【００１３】
ナビゲーションＥＣＵ３０にはＧＰＳアンテナ３１が接続されている。ナビゲーションＥＣＵ３０は、ＧＰＳアンテナ３１の検出信号から車両の現在地を取得して、運転支援ＥＣＵ１０に送信する。
【００１４】
画像取得ＥＣＵ４０には、車外カメラ４１が接続されており、車外カメラ４１で撮影された画像を運転支援ＥＣＵ１０に送信する。
【００１５】
視線検出ＥＣＵ５０には、車内カメラ５１(ＩＲカメラ)が接続されている。車内カメラ５１は、運転者の顔を撮像範囲に含むことのできる画角を有するものであり、車室内において運転席の前方のサンバイザーやＡピラー等に設けられている。視線検出ＥＣＵ５０は、車内カメラ５１の撮影画像（ＩＲ画像）を画像処理して運転者の視線方向を検出して、運転支援ＥＣＵ１０に送信する。なお視線方向の検出は、例えば撮影画像から運転者の瞳孔中心と角膜中心とを求め、角膜反射の位置（角膜上の位置）に対する瞳孔の位置を求めることで、運転者の視線方向を算出する。なお視線方向の検出処理は周知技術であるため、詳述は省略する。なお視線検出については、例えば特開平７−１５９３１７号公報を参照されたい。
【００１６】
脳波取得ＥＣＵ６０には、脳波取得装置６１とメモリ６２とが接続されている。脳波取得装置６１は運転者の脳波を取得するものである。メモリ６２には、脳波取得装置６１で取得された脳波から運転者の注意量を算出するための演算式などが記憶されている。またメモリ６２には脳波取得装置６１で取得された脳波が記憶される。脳波取得装置６１で取得された脳波は無線または有線にて脳波取得ＥＣＵ６０に送信される。脳波取得ＥＣＵ６０は、メモリ６２の演算式を用いて脳波から注意量を算出し、注意量に基づいて運転者に対する運転支援を実施する。
【００１７】
図２に脳波取得装置６１の概略構成図を示す。本実施形態の脳波取得装置６１は、運転者の前方（外界）を撮影する撮影装置６３と、運転者の頭部（頭皮上等）に接触されて脳波を検出する電極６４（６４ａ，６４ｂ）と、撮影装置６３と電極６４の位置を固定する支持部であるメガネ形状のフレーム６５とを備えて構成されている。
【００１８】
電極６４は、２つの電極６４ａ，６４ｂを有している。各電極６４ａ，６４ｂは、脳波取得装置６１が運転者の頭部に取り付けられた際に、国際１０−２０法の電極位置において、後極部、マストイドの位置で頭部に接触されるようにフレーム６５に固定されている。各電極６４ａ，６４ｂが運転者の頭部の所定位置に接触されると、各電極６４ａ，６４ｂ間に生じる電位の時間変化から１次元のアナログの脳波が取得される。
【００１９】
図３に脳波取得装置６１で取得される脳波の例を示す。人間の脳波は、０〜３０（Ｈｚ）の周波数範囲からなる信号であり、アルファ（α）波、シータ（θ）波、ベータ（β）波、デルタ（δ）波の特徴的な４つの周波数帯域を含んでいる。アルファ波はリラックス状態や集中している状態で出力される主に９〜１１（Ｈｚ）の波形である。シータ波は、眠気を感じている場合や、浅い睡眠状態の際に出力される４〜７（Ｈｚ）の波形である。ベータ波は、緊張状態や不安状態で出力される１３〜３０（Ｈｚ）の波形である。デルタ波は、無意識の状態や深い睡眠状態である際に出力される１．５〜３．５（Ｈｚ）の波形である。
【００２０】
脳波に含まれるこれらの４つ波形を解析することで、運転者の注意量が求められる。本実施形態では、離散フーリエ変換（ＤＦＴ：Distance Fourier Transform）を用いた演算式によって、脳波から各波形成分を抽出して、各波形成分の比較から運転者の注意量を求めるとする。なお離散フーリエ変換の演算式は周知であるためここでの記載は省略する。詳しくは特開平７−１２４３３１号公報を参照されたい。
【００２１】
脳波取得ＥＣＵ６０による離散フーリエ解析が行われると、脳波はＮ個の周波数スペクトルに分解される。この際、各周波数スペクトルは上記の４つの特徴的な波形のいずれかに対応している。脳波取得ＥＣＵ６０は、各周波数スペクトルの対比（大小関係）から注意量を求める。つまり脳波に含まれるアルファ波の傾向が強いほど注意量が多いと判定し、脳波に含まれるベータ波等その他の波形の傾向が強いほど注意量が少ないと判定する。
【００２２】
運転支援ＥＣＵ１０には、表示装置１１及びスピーカ１２が接続されている。表示装置１１は、例えば車両のインパネ部（図示略）に設けられており、車両運転中にドライバが視認することが可能な表示画面を有している。なお表示装置１１としては、車両のフロントガラスに画像を重畳表示させるヘッドアップディスプレイ等を使用してもよい。運転支援ＥＣＵ１０は、各ＥＣＵ２０〜６０からの入力信号に基づいて、後述する運転支援処理を実行して、その処理結果を表示装置１１やスピーカ１２を介して運転者に報知する。
【００２３】
運転支援ＥＣＵ１０は、ナビゲーションＥＣＵ３０から送られた車両の位置情報に基づき、車両の位置（現在地）が警告の実施判定を行う判定エリアであるかを判定する。判定エリアは、運転者に対する運転支援が行われることが好ましいとされる領域であって、例えば、交差点や駐車場などに設定されている。本実施形態では、交差点および交差点から所定範囲内（例えば横断歩道を含む範囲）の交差点エリアが判定エリアに設定されているとする。なお交差点の領域は交差点の種類ごとに道路交通法に基づき定められており、例えば車道の側端線で囲まれた範囲であるとする。
【００２４】
運転支援ＥＣＵ１０は、車両の位置が判定エリアの際に、画像取得ＥＣＵ４０から送信された画像（車両の進行方向の画像）から対象物を抽出する。なお対象物は、車両の進行方向に存在する自転車、歩行者等の接触回避の対象となる物体である。例えば運転支援ＥＣＵ１０は、メモリに記憶された対象物の特徴に関する情報と撮影画像との照合により対象物を抽出する。
【００２５】
また、運転支援ＥＣＵ１０は、脳波取得ＥＣＵ６０によって運転者の注意量が判定基準未満であると判定された際に、運転支援（警告）を実施する。本実施形態では、脳波取得ＥＣＵ６０による運転者の注意量の判定基準はアルファ波とその他の波形の周波数スペクトルの最大値の比較結果に基づき定められているとする。つまりアルファ波の周波数スペクトルの最大値が他の波形の周波数スペクトルの最大値よりも大きい場合、注意量が判定基準以上であると判定する。一方、アルファ波の周波数スペクトルの最大値よりも他の波形の周波数スペクトルの最大値が大きい場合、注意量が判定基準未満であると判定する。
【００２６】
次に脳波取得ＥＣＵ６０が実行する運転者の注意量判定処理について説明する。図４は、運転者の注意量判定処理のフローチャートであり、脳波取得ＥＣＵ６０の起動中に繰り返し実行される。
【００２７】
図４において、まずステップＳ１１で、脳波取得装置６１で検出される運転者の脳波を取得する。続くステップＳ１２では取得した脳波からベータ波、アルファ波、シータ波、ガンマ波の周波数スペクトルを得る。続くステップＳ１３では、各波形の周波数スペクトルの比較から運転者の注意量が判定基準未満であるかを判定する。肯定判定した場合にはステップＳ１４に進み、運転支援フラグをオンとする。否定判定した場合にはステップＳ１５に進み運転支援フラグをオフとする。
【００２８】
次に、運転支援システムが搭載された車両が走行する際に、運転支援ＥＣＵ１０が実行する運転支援処理について説明する。図５は運転支援処理のフローチャートである。なお運転支援処理は、運転支援ＥＣＵ１０の起動中に繰り返し実行される。
【００２９】
図５においてまずステップＳ２０で車速を取得する。続くステップＳ２１では、車両の位置（現在地）が警告実施の判定エリアであるかを判定する。判定エリアは、交差点エリアとする。車両の現在地が交差点エリアであり、肯定判定した場合にはステップＳ２２で運転支援フラグがオンであるかを判定する。肯定判定した場合にはステップＳ２３に進み車速が所定の低速状態であるかを判定する。例えば車速が所定の閾値以下であるかを判定する。例えば閾値は１０ｋｍ／ｈとする。
【００３０】
続くステップＳ２４では判定エリア内の撮影画像を取得する。この際、少なくとも車両７０の進行方向を含む画角の撮影画像を取得する。続くステップＳ２５では、車両の現在地が警告の実施位置であるかを判定する。例えば警告の実施位置は、車両が交差点に入ってから所定距離を進んだ位置、または横断歩道の直前の数メートルの位置等に定められる。なお警告の実施位置であるか否かは、車両の位置情報に基づき判定する。または、車両が交差点に進入してからの経過時間に基づき判定してもよい。肯定判定した場合には、続くステップＳ２６で、判定エリアの撮影画像に対象物が含まれているかを判定する。なお対象物は、図番号を略すメモリに記憶された対象物の特徴情報と撮影画像との照合により抽出する。
【００３１】
対象物が含まれており肯定判定した場合には、続くステップＳ２７で、車両と対象物とが接近する状況であるかを判定する。例えば車外カメラ４１による撮影画像から対象物の位置、速度や移動方向の情報を取得して、車両と対象物との相対速度および相対距離の変化を求め、車両と対象物とが接近する状況であるかを判定する。肯定判定した場合にはステップＳ２８に進み、運転者が対象物を目視確認することを促す警告を出力する。例えばスピーカ１２から対象物の種類や方向等を音声で出力する。
【００３２】
なおステップＳ２１〜Ｓ２３、Ｓ２５〜Ｓ２７で否定判定した場合には本処理を終了する。
【００３３】
次に図６に上記処理の実行例を説明する。ここでは緊張状態の運転者が、交差点で右折をする場合に、運転支援を行う例を説明する。
【００３４】
まず、運転者は車両走行の開始前に、起動状態の脳波取得装置６１を頭部の所定位置に装着する。これにより脳波が取得され、脳波からベータ波、アルファ波、シータ波、ガンマ波の周波数スペクトルが得られる。運転者が緊張状態の場合、ベータ波の周波数スペクトルの最大値が、アルファ波の周波数スペクトルの最大値よりも高くなる。この場合、運転者の注意量が判定基準未満であると判定され、運転支援フラグがオンとされる。
【００３５】
図６において、車両７０が交差点エリアＳの境界の地点Ａに到達すると、運転支援フラグがオンであることによって、車両７０が所定の低速状態であるかが判定される。この場合、車両７０は交差点で方向転換を行うべく減速されているため、車両７０は低速状態であると判定され、車外カメラ４１の撮影画像から対象物７１を検出する処理が実施される。ここでは、車両７０の進行方向の右側の横断歩道に対象物７１として歩行者がいることが検出される。そして車両７０現在地が交差点Ｓ１内における地点Ｂとなった際に、対象物７１と車両７０との相対速度および相対距離の変化から、車両７０と対象物７１とが接近する状況であると判定されると、スピーカ１２から運転者に対象物７１を確認することを促す警告音が出力される。その後、車両７０の現在地が交差点エリアＳの外(地点Ｃ)となると、運転支援処理が終了する。
【００３６】
なお運転者が運転に集中しており注意量が所定以上と判定されることで、運転支援フラグがオフの場合、交差点エリアＳ内で車両７０と対象物７１とが接近状態にあると判定されても警告音は出力されない。
【００３７】
上記によれば、以下の優れた効果が得られる。
【００３８】
（１）運転者が運転に集中しているか否かに関わらず、対象物に対する警告を促すための警告が出力される場合、運転者の運転に対する集中力が不十分の場合（運転に対する注意量が少ない場合）には、警告の実施が不足することにより、運転者が目視確認の必要な対象物を見落としてしまうことに伴う不具合が生じる懸念がある。一方、運転者が運転に集中しており（運転に対する注意配分力が十分であり）、運転者が対象物を見落とす可能性は比較的に低い場合には、運転者が対象物を認識しているにも関わらず不要な警告が繰り返されることによって、運転者の警告に対する意識を低下させるおそれがある。
【００３９】
この点、上記構成では、運転者の脳波の検出結果から運転者の注意量を求め、注意量に基づき運転者に対して目視確認を促すための警告を実施する。これにより、運転者の集中力が不足している場合にはより積極的に警告が実施されるようになり、対象物の見落としを回避させることができる。運転者が運転に集中している場合には、不要な警告の出力を抑えることができ、警告に対する運転者の意識を高めておくことができる。
〔他の実施形態〕
本発明は上記実施形態の記載内容に限定されず、次のように実施されてもよい。
【００４０】
・運転者の注意力が低い場合には、図５のステップＳ２８の処理で警告が出力された後も対象物を認識できていない可能性がある。そこで、運転支援フラグがオンの場合には、ステップＳ２８で警告が出力された後、運転者の視線が対象物に向けられたか否かを判定し、運転者の視線が対象物に向けられていないと判定した場合には、再度の警告が実施されるようにしてもよい。例えば図６において、車両７０の現在地が交差点Ｓ１内の地点Ｂである際に警告が出力された後、運転者が対象物７１の目視確認を行ったかを判定する。例えば、地点Ｂでの警告後に運転者の視線と対象物７１とが所定時間一致したかを判定する。ここで運転者の視線と対象物７１とが一致していないと判定した場合には、再度スピーカ１２から警告音を出力する。このように運転者の注意力が低い場合に、運転支援としての警告がより積極的に行われるようにすることで、運転者が対象物を見落としてしまうことに伴う不具合を好適に回避することができる。
【００４１】
・運転者が運転に集中しており、注意力が高い場合には、対象物を見落とす可能性が低いため警告の実施が不要となる場合が増えることが想定される。一方、運転者の運転に対する集中が不足しており、注意力が低い場合には、対象物を見落とす可能性が高くなるため、警告の実施が必要となる場合が多くなることが想定される。そこで脳波から取得される注意量に応じて警告の実施度合いが調整されてもよい。例えば、図５のステップＳ２３において、運転者の注意量が所定以上の場合には、低速状態を判定するための車速の閾値を５ｋｍ／ｈ（第１閾値）に設定する。一方で、運転者の注意量が所定未満の場合には、低速状態を判定するための車速の閾値を、第１閾値よりも速い２０ｋｍ／ｈ（第２閾値）に設定する。この場合、運転者の注意力が比較的に低い場合には、第１閾値よりも速い第２閾値以下で低速状態であると判定されるため、運転者に対する警告が実施される度合いを高くすることができる。
【００４２】
・走行環境によっては、運転者が緊張状態や不安状態となることで対象物７１に対する注意量が低くなる可能性がある。例えば、複雑な形状の交差点を通過する際、走行したことのない道路を走行する際、雨や雪による荒天時の際などに、注意量が比較的に低くなる可能性が高い。そこで走行環境に基づいて運転支援が実施されるようにしてもよい。例えば、車両７０の走行履歴と脳波の履歴とを関連付けて記憶する。そして脳波の履歴及び走行履歴に基づいて、運転者の緊張度合が高くなる走行環境であると判定された際に、運転支援フラグがオンとされるようにしてもよい。
【００４３】
・運転者の集中力が低下した状態で出力される波形（ベータ波、シータ波）の大きさに応じて、出力される警告の度合いが調整されてもよい。例えばシータ波の周波数スペクトルが大きいほど、運転者が感じている眠気の度合いが高いことが推定される。この場合、シータ波の周波数スペクトルが大きいほど、警告の音量を増加させるようにする。このようにすることで、運転者の状態に応じてより好適に警告を促すことができる。
【００４４】
・運転者の集中力が低下した状態で出力される各波形成分に応じて、警告の度合いが調整されてもよい。例えば緊張状態で出力されるベータ波の傾向が強い場合に出力される警告に比べて、眠気状態で出力されるシータ波の傾向が強い場合に出力される警告の度合いが高くなるようにする。例えば音量を大きくする。このように運転者の状態に応じて警告の度合いを調整することで、運転者に対する警告をより好適に実施できる。
【００４５】
・脳波にデルタ波が含まれる場合には、運転者による運転の継続が困難な可能性がある。この場合、ベータ波およびシータ波の度合いに関わらず、運転者に対して運転の停止を促す警告が出力されるようにしてもよい。また車両走行の停止を促すための処理が実施されるようにしてもよい。例えば運転支援ＥＣＵ１０によって車速を減速させる等の処理が実施されてもよい。
【００４６】
・眠気状態で出力されるシータ波の傾向が強い場合には、警告とともに運転者の休憩を促すようにしてもよい。また緊張状態で出力されるベータ波の傾向が強い場合には、警告とともに運転者の緊張状態の緩和を促す音等が出力されてもよい。
【００４７】
・運転者が判定エリアの設定と解除をできるようにしてもよい。例えば、運転者が苦手とする走行領域（交差点エリアＳ、駐車場など）を判定エリアとして設定したり、警告が不要な走行領域を判定エリアの対象から解除したりできるようにする。これにより個々の運転者に応じた運転支援を実施できるようになる。なお判定エリアの設定は、例えば車両７０に設けられた操作部の操作で行うことができる。
【００４８】
・脳波取得装置６１として、周知のヘッドマウント式のものや、鼓膜などに電極を設置するタイプのものが使用されてもよい。これ以外にも、非侵襲的に運転者の脳波を取得可能な各種の脳波取得装置を使用できる。
【００４９】
・脳波取得装置６１は車両７０側に設けられていてもよい。例えば図示を略す運転者の座席シートに組み込まれていてもよい。この場合、座席シートのヘッドレスト部分であって、運転者の頭部が接触される位置に電極６４が埋め込まれるようにする。運転者が座席シートに着座すると、運転者の頭部が電極に接触された状態となることで、運転者の脳波が取得される。
【００５０】
・離散フーリエ変換以外にも、周知の周波数演算を用いて、脳波に含まれる各波形成分を取得できる。またはメモリ６２に、アルファ波、ベータ波、シータ波、ガンマ波の各波形のテンプレートを保持しておき、テンプレートとの比較により注意量が求められるようにしてもよい。
【００５１】
・脳波と、図示を略すタイマによる計測時間と、ＧＰＳアンテナ３１による車両７０の現在地などの情報とを関連付けてメモリ６２に蓄積する。そして、同じ走行条件での脳波の傾向が記録されるようにする。そして同じ走行条件で車両走行を行う際に、現在取得される脳波と、メモリ６２に記憶された脳波とを比較する。この際、脳波取得装置６１で現在取得される脳波が、メモリ６２に記憶された通常状態とは異なる傾向を示している場合に、運転者に対する運転支援が実施されるようにしてもよい。例えば朝夕の通勤時間帯において、運転者が同じ経路を走行する際に、今回取得された脳波が通常とは異なる傾向を示している場合に、運転支援が実施されるようにしてもよい。
【００５２】
・上記では、脳波取得装置６１の電極６４が運転者の頭部に接触されている際に常時脳波が取得されることを前提としたが、車両７０が判定エリアに接近していると判定された際に脳波の取得が開始されるようにしてもよい。
【００５３】
・上記では、車外カメラ４１による撮影画像から対象物を抽出している。これ以外にも、脳波取得装置６１の撮影装置６３による撮影画像から対象物が抽出されてもよい。
【符号の説明】
【００５４】
１０…運転支援ＥＣＵ、６０…脳波取得ＥＣＵ、６１…脳波取得装置、７０…車両。
【図１】
2015095111.tif 000003
【図２】
2015095111.tif 000004
【図３】
2015095111.tif 000005
【図４】
2015095111.tif 000006
【図５】
2015095111.tif 000007
【図６】
2015095111.tif 000008